(57)【要約】【課題】  鉄筋類の変形による影響を排除すると共に、水平位置の調整を容易にり且つ柱に対する支持力を増強させること、アンカーボルトを連結支持する上部側構造部の連結金物を改良し、強固な連結支持が得られるようにすること、などを主たる目的としている。【解決手段】  基礎地盤上に水平位置調整部を介して支柱部材を立設する下部側構造部３Ａと、支柱部材６の上端側に垂直位置調整部を介して建物の柱を取り付けるアンカーボルト２を連結する上部側構造部３Ｂで構成され、上部側構造部３Ｂには１本の支柱部材６に対して高さ調整可能に複数本のアンカーボルト２を装着する複数の係止孔２４，２５を備えた１つの連結金物２３を設けると共に、アンカーボルト２を押圧して係止孔２４，２５に圧接する連結ボルト２６を設けたアンカーボルトの支持装置である。【選択図】        図３
2005133412.tif 000002
【特許請求の範囲】
【請求項１】
基礎地盤上に水平位置調整部を介して支柱部材を立設する下部側構造部と、支柱部材の上端側に垂直位置調整部を介して建物の柱を取り付けるアンカーボルトを連結する上部側構造部で構成され、前記上部側構造部には１本の支柱部材に対して高さ調整可能に複数本のアンカーボルトを装着する複数の係止孔を備えた１つの連結金物を設けると共に、アンカーボルトを押圧して係止孔に圧接する連結ボルトを設けたことを特徴としたアンカーボルトの支持装置。
【請求項２】
基礎地盤上に水平位置調整部を介して支柱部材を立設する下部側構造部と、支柱部材の上端側に垂直位置調整部を介して建物の柱を取り付けるアンカーボルトを連結する上部側構造部で構成され、前記上部側構造部には１本の支柱部材に対して高さ調整可能に複数本のアンカーボルトを装着する複数の係止孔を備えた１つの連結金物を設けると共に、アンカーボルトを押圧して係止孔に圧接する連結ボルトを設け、更に支柱部材の上端側には補助連結部材を介して同形の連結金物を対向状に設けたことを特徴としたアンカーボルトの支持装置。
【請求項３】
基礎地盤上に水平位置調整部を介して支柱部材を立設する下部側構造部と、支柱部材の上端側に垂直位置調整部を介して建物の柱を取り付けるアンカーボルトを連結する上部側構造部で構成され、前記上部側構造部には１本の支柱部材に対して高さ調整可能に複数本のアンカーボルトを装着する複数の係止孔を備えた１つの連結金物を設けると共に、アンカーボルトを押圧して係止孔に圧接する連結ボルトを設け、更に下部側構造部と上部側構造部を１組とした同形の複数組を基礎地盤上に所定間隔で配置したことを特徴としたアンカーボルトの支持装置。
【請求項４】
前記連結金物は、上下に水平状態で並設された各係止片の一端側を連結片で連結したコ字状に形成され、各係止片には複数の係止孔が上下連通状に設けられていると共に、連結片に連結ボルトを螺合させた請求項１〜３のいずれかに記載したアンカーボルトの支持装置。
【請求項５】
前記連結金物は、係止孔の圧接面にＶ溝を設けた多角形状で形成される請求項１〜４のいずれかに記載したアンカーボルトの支持装置。
【請求項６】
前記連結金物は、係止孔の側面側にアンカーボルトを装着する切欠部分を設けた請求項１〜５のいずれかに記載したアンカーボルトの支持装置。
【請求項７】
前記連結金物は、Ｌ字状のアングル材で形成された支柱部材の一方片の外側に溶着されている請求項１〜６のいずれかに記載したアンカーボルトの支持装置。
【請求項８】
前記下部側構造部は、支柱部材を左右（Ｘ軸）方向又は前後（Ｙ軸）方向のいずれかの一方へ位置決め調整する第１の水平位置調整部と、支柱部材を左右（Ｘ軸）方向又は前後（Ｙ軸）方向のいずれかの他方へ位置決め調整する第２の水平位置調整部を備え、ベース部材で垂直状態に支持した支柱部材を時計方向又は反時計方向に傾斜させる請求項１〜７のいずれかに記載したアンカーボルトの支持装置。
【発明の詳細な説明】
【技術分野】
【０００１】
本発明は、基礎地盤上に立設してアンカーボルトを支持すると共に、アンカーボルトの上端ねじ部を突出する態様で建物の基礎コンクリート中に埋設されるアンカーボルトの支持装置に関し、布基礎や独立基礎或いは柱脚基礎などにおけるアンカーボルトの支持装置に適用することができる。
【背景技術】
【０００２】
この種のアンカーボルトの支持装置は、例えば布基礎の場合には、鉄筋コンクリート（ＲＣ）造の基礎中にアンカーボルトを埋設し、所望の水平位置と垂直位置で基礎コンクリート上に突出する態様で立設しているが、このアンカーボルトを自立させる一般的な方法として、埋設する鉄筋の水平部分（水平鉄筋又は横鉄筋という）にアンカーボルトを結束線で結わえる方法や、コンクリート打設後で固化する以前のコンクリート中にアンカーボルトを差し込む方法がある。
【０００３】
しかし、前者の結束線で結わえる方法の場合には、手間が掛かって作業能率が悪いこと、結束中に位置ずれを生ずる恐れがあって一旦結束した後には位置調整が困難であること、型枠を設置した後にはスペースの関係で結束作業が困難であって作業手順が拘束されること、作業者の習熟度などによって結束強度にバラツキを生じて品質が安定しないことなどの課題があった。
【０００４】
また、通称「田植え式」と呼ばれる後者のアンカーボルトを差し込む方法の場合には、季節やその他の条件によってコンクリートの性状がかわるので、差し込むタイミングを設定するのが困難であること、差し込んだ際に内部の鉄筋に当たって位置ズレを生ずる恐れがあること、特にスランプ（施工軟度）の大きいコンクリートでは、差し込んだ後に自重でアンカーボルトが傾く恐れがあることなどの課題があった。
【０００５】
さらに、これらの従来技術を改善するために例えば特許文献１〜３などに開示されているように、基礎となる鉄筋コンクリート中に埋設する鉄筋の水平部分（水平鉄筋又は横鉄筋という）に連結する水平保持部と、アンカーボルトに連結する垂直保持部とを一体に形成した基礎用アンカーボルトの保持具に関する提案がなされている。
【特許文献１】特開２００２−２９４７２０号公報
【特許文献２】特開２００１−１３１９９０号公報
【特許文献３】特開２００１−１０７３７１号公報
【０００６】
特許文献１〜３などの保持具では、水平鉄筋又はアンカーボルトを圧入によって装着する際に、水平鉄筋に対して押圧力が作用して水平鉄筋又は水平鉄筋を介して垂直鉄筋を変形させる恐れがあること、圧着による連結であって軸方向へ位置決め調整が可能な連結状態であると共に、アンカーボルトを水平鉄筋と直交させる方向へ容易に傾斜できる構造であるから、連結強度が弱くて装着後にアンカーボルトや保持具に対して外力が加わった場合に位置ズレを生ずる恐れがあり、事前に位置ズレに気づいた場合には再調整をすれば良いが、気づかずコンクリート打設が行われた場合には被害が甚大である。
【０００７】
これらの従来技術に鑑み、本件出願人は先に特願２００２−２１２４１７号（先願発明１）において、基礎地盤上のベース部材に支柱部材を介してアンカーボルトを支持する構造にしたアンカーボルトの支持装置の提案を行うと共に、特願２００３−３１５７０６号（先願発明２）において、特許文献１〜３などの保持具に改良を加え、基礎地盤上に配筋した水平鉄筋などの布基礎用の鉄筋類でアンカーボルトを保持する構造にしたアンカーボルトの保持具の提案を行っている。
【０００８】
先願発明１は、基礎地盤上に取り付けたベース部材に対し、水平位置の調整手段を介して支柱部材を連結して立設させ、建物の柱を取り付けるアンカーボルトを支柱部材に対し、垂直位置の調整手段を介して連結して、アンカーボルトの上端ねじ部を突出する態様で基礎コンクリート中に埋設するアンカーボルトの支持装置であり、例えば布基礎などに用いた場合には、特許文献１〜３などのように鉄筋類の変形に左右されることなく位置決め調整を行うことができると共に、アンカーボルトに対するコンクリートの付着強度を強固にできるなどの利点がある。
【０００９】
また、先願発明１では垂直位置の調整手段を備えた上部側構造部は、公知の各種な形態を採るようにしているが、水平位置の調整手段を備えた下部側構造部では特に、ベース部材と基礎地盤の間に支圧板を設け、下部を基礎地盤中に埋設したアンカーねじの上部にベース部材及び支圧板を挿通させ、連結ナットをアンカーねじに螺合してベース部材及び支圧板を基礎地盤上に固定し、ベース部材に設けた調整ねじ孔に調整ねじを螺合すると共に、調整ねじの先端で支圧板を押圧させ、調整ねじの締め付け調整によってベース部材の一部を昇降可能にしている。
【００１０】
先願発明１によると、調整ねじの締め付け調整によって支圧板に対する押圧力を可変してベース部材の一部を昇降させ、支柱部材を介してアンカーボルトの上端ねじ部の水平位置を調整すると、基礎地盤の不陸などで生じた上端ねじ部の位置ずれを補正し、建物の柱の設置位置に容易に整合できるなどの利点を備え、布基礎以外にも独立基礎として同様の構成を複数用いて露出型柱脚構造に適用ができる。
【００１１】
先願発明２は、基板の左右から水平な鉄筋に嵌合する垂直な鉄筋保持片を突出形成すると共に、基板の上下から垂直なアンカーボルトに嵌合する水平なアンカー保持片を突出形成し、前記鉄筋保持片とアンカー保持片に嵌合して交差状に配置した鉄筋とアンカーボルトに対し、両者を圧接状態で鉄筋保持片及びアンカー保持片に連結保持する押しねじを、前記基板のねじ孔に螺合させたアンカーボルトの保持具である。
【００１２】
先願発明２によると、水平鉄筋やアンカーボルトに装着する際に、鉄筋ユニットに過大な押圧力を加えることなく嵌合状態で容易に装着することができると共に、アンカーボルトの水平位置及び垂直（高さ）位置の位置決め調整を容易且つ精度良く行うことができ、装着後にはアンカーボルトを水平鉄筋又は継手鉄筋に圧接した状態で、外力が加わっても位置ずれを生じない強固な連結保持が可能であるなど、特許文献１〜３などの課題を改善することができる。
【発明の開示】
【発明が解決しようとする課題】
【００１３】
しかしながら、先願発明１及び２を含む従来技術には改善を必要とする幾つかの課題が残されており、例えば改善された先願発明２による保持具の場合でも、布基礎用の鉄筋類に支持させる構造であることには変わりはないので、先願発明１の支持装置のように基礎地盤上にアンカーボルトを支持する場合に比べると、布基礎用の鉄筋類と全く関わりなく位置決め調整をより正確且つ容易に行うことができできないこと、アンカーボルトの長さが短くなるので、アンカーボルトに対するコンクリートの付着強度をより強固にできないこと、などの課題が残されていた。
【００１４】
また先願発明１の場合には、アンカーボルトの垂直位置の調整手段を備えた上部側構造部において、支柱部材にアンカーボルトを垂直調整可能に固着する連結金物による連結部の構造が、支柱部材の上端側に対して打設したコンクリートを充填する空隙を十分に確保できないので、コンクリートの付着強度をより高めることが困難であると共に、連結金物に挿通させたアンカーボルトを圧接ボルトの締め付けで固着する際の固着強度が必ずしも十分でないこと、一本の支柱部材に対して複数本のアンカーボルトを支持させる形態を採ることができないこと、などの課題が残されていた。
【００１５】
さらに先願発明１の場合には、アンカーボルトの水平位置の調整手段を備えた下部側構造部において、水平調整ねじによって水平調整を行った際に支圧板を固定するウォールアンカーに引き抜き力が作用し、捨てコンクリートが未硬化の場合には支圧板やウォールアンカーが浮き上がったり又は引き抜かれたりする恐れがあること、一本の支柱部材に対して一本のアンカーボルトを支持させる形態であるので、複数本のアンカーボルトを使用する場合には複数本の支柱部材が必要となり、個別に水平調整を行う手間が増えると共に、支柱部材が鉄筋類に妨げられないようにするために、鉄筋類の配置がより制限をうけること、などの課題が残されていた。
【００１６】
そこで本発明では、これら従来技術の課題を解決し得る基礎用アンカーボルトの支持装置を提供するものであって、特に基礎地盤上からアンカーボルトを支持することで、鉄筋類の変形による影響を排除すると共に、１本の支柱部材によって複数のアンカーボルト連結支持させるとで、水平位置の調整を容易にり且つ柱に対する支持力を増強させること、アンカーボルトを連結支持する上部側構造部の連結金物を改良し、強固な連結支持が得られるようにすること、などを主たる目的としている。
【課題を解決するための手段】
【００１７】
本発明による基礎用アンカーボルトの支持装置は、基礎地盤上に水平位置調整部を介して支柱部材を立設する下部側構造部と、支柱部材の上端側に垂直位置調整部を介して建物の柱を取り付けるアンカーボルトを連結する上部側構造部で構成され、前記上部側構造部には１本の支柱部材に対して高さ調整可能に複数本のアンカーボルトを装着する複数の係止孔を備えた１つの連結金物を設けると共に、アンカーボルトを押圧して係止孔に圧接する連結ボルトを設けた。（請求項１）
【００１８】
本発明による他の基礎用アンカーボルトの支持装置は、基礎地盤上に水平位置調整部を介して支柱部材を立設する下部側構造部と、支柱部材の上端側に垂直位置調整部を介して建物の柱を取り付けるアンカーボルトを連結する上部側構造部で構成され、前記上部側構造部には１本の支柱部材に対して高さ調整可能に複数本のアンカーボルトを装着する複数の係止孔を備えた１つの連結金物を設けると共に、アンカーボルトを押圧して係止孔に圧接する連結ボルトを設け、更に支柱部材の上端側には補助連結部材を介して同形の連結金物を対向状に設けた。（請求項２）
【００１９】
本発明による更に他の基礎用アンカーボルトの支持装置は、基礎地盤上に水平位置調整部を介して支柱部材を立設する下部側構造部と、支柱部材の上端側に垂直位置調整部を介して建物の柱を取り付けるアンカーボルトを連結する上部側構造部で構成され、前記上部側構造部には１本の支柱部材に対して高さ調整可能に複数本のアンカーボルトを装着する複数の係止孔を備えた１つの連結金物を設けると共に、アンカーボルトを押圧して係止孔に圧接する連結ボルトを設け、更に下部側構造部と上部側構造部を１組とした同形の複数組を基礎地盤上に所定間隔で配置した。（請求項３）
【００２０】
これら基礎用アンカーボルトの支持装置における前記連結金物は、上下に水平状態で並設された各係止片の一端側を連結片で連結したコ字状に形成され、各係止片には複数の係止孔が上下連通状に設けられていると共に、連結片に連結ボルトを螺合させた形態（請求項４）、係止孔の圧接面にＶ溝を設けた多角形状で形成される形態（請求項５）、係止孔の側面側にアンカーボルトを装着する切欠部分を設けた形態（請求項６）、Ｌ字状のアングル材で形成された支柱部材の一方片の外側に溶着されている形態（請求項７）、を採ることができる。
【００２１】
また、これら基礎用アンカーボルトの支持装置における前記下部側構造部は、支柱部材を左右（Ｘ軸）方向又は前後（Ｙ軸）方向のいずれかの一方へ位置決め調整する第１の水平位置調整部と、支柱部材を左右（Ｘ軸）方向又は前後（Ｙ軸）方向のいずれかの他方へ位置決め調整する第２の水平位置調整部を備え、ベース部材で垂直状態に支持した支柱部材を時計方向又は反時計方向に傾斜させる形態（請求項８）を採ることができる。
【発明の効果】
【００２２】
この基礎用アンカーボルトの支持装置によると、例えば請求項１のように１本の支柱部材に対して複数本のアンカーボルトを連結支持する形態を採ると、支柱部材の本数及びベース部材を削減して部品コストの低減が可能であると共に、下部側構造部で各アンカーボルトを水平位置を同時に位置決め調整できので、設置作業の労力を軽減することが可能であり、連結金物は天プレートの機能を兼用し、並設された複数本の各アンカーボルトの相対位置関係を一定に保持できるので、アンカーボルトの上端側に天プレートを設けて相対位置関係を一定に保持する必要がなくなる。
【００２３】
また、請求項２のように同形をした２組の上部側構造部を、１本の支柱部材に対して対称状に設ける形態を採ると、１本の支柱部材に４本の各アンカーボルトを連結支持することができると共に、下部側構造部によって支柱部材の水平位置調整を行うと、各アンカーボルトを同時に位置決めすることが可能であるから、大きな耐力を必要とする大口径の柱を支持する場合に好適であって、特に支柱部材の本数を削減してコストの低減を図り、１本の支柱部材を介して水平位置調整を容易にすることができると共に、鉄筋類を配置する際の自由度を高め且つ、天プレートを省略することが可能であるなどの効果を奏し、布基礎だけではなく露出型柱脚構造にも利用することができる。
【００２４】
さらに、請求項３のように下部側構造部と上部側構造部を１組とした同形の複数組を基礎地盤上に所定間隔で配置した形態を採ると、１本の支柱部材にそれぞれ複数本のアンカーボルトが連結金物を介して多点支持状態で強固に連結され、複数本を同時に水平調整を行って個別に水平調整を行う手間を軽減できると共に、支柱部材の本数を少なくできること、この種のアンカーボルトの上端部を所定間隔に拘束するために設ける天プレートを省略できることによってコストを低減することができる。
【００２５】
連結金物は、請求項４のような形態を採ると、複数の各アンカーボルトは連結ボルトを介して上下の係止板によって強固に連結支持され、請求項５のような形態を採ると、連結ボルトに押圧されたアンカーボルトはＶ溝を設けた係止孔の圧接面と接合し、多点支持状態で強固に連結支持され、請求項６のような形態を採ると、切欠部分を介してアンカーボルトを側面側から容易且つ迅速に装着することができ、請求項７のような形態を採ると、支柱部材の上端の内側に対するコンクリートの付着が良好になる。
【００２６】
下部側構造部は、請求項８のような形態を採ることによって、支柱部材をＸ軸方向に沿った一方側と他方側及び、Ｘ軸方向に沿った一方側と他方側に傾斜させ、支柱部材の上端側に連結支持した複数のアンカーボルトに対する位置決め調整を同時且つ正確に行うことが可能であると共に、特に特許文献１〜３又は先願発明２の鉄筋類にアンカーボルトを連結支持する場合のように、鉄筋類の変形による位置ズレがないので正確な位置決め調整を行うことができる。
【実施例】
【００２７】
本発明の基礎用アンカーボルトの支持装置について、本発明を適用した好適な実施形態を示す添付図面に基づいて詳細に説明すると、図１は本発明を布基礎１に適用した施工状態における要部斜視図であって、捨てコンクリートなどを施した基礎地盤上に、アンカーボルト２の支持装置３を設けると共に、支持装置３を囲繞する態様で布基礎用鉄筋４を配筋し、布基礎１と直交する両側に型枠（図示を省略）を設けてコンクリート打設を行い、アンカーボルト２の上端側ねじ部２ａを除く支持装置３と布基礎用鉄筋４を埋設する態様で、基礎コンクリート５を構築する。
【００２８】
布基礎１は、支持装置３が支柱部材（ポスト部材）６の下端側を基礎地盤上で支持する下部側構造部３Ａと、支柱部材６の上端側でアンカーボルト２を支持する上部側構造部３Ｂで構成されると共に、布基礎用鉄筋４が上下に配設した横鉄筋７，８と、各横鉄筋を囲繞する態様で所定間隔毎に配設した方形枠状の縦鉄筋９，９（スターラップ筋）で構成されているが、布基礎１の構造や布基礎用鉄筋４の配筋は図示の実施形態に限定されず、各種の形態を採りうるものである。
【００２９】
例えば、先願発明２に例示した場合と同様に、基礎地盤上に設けたフーチング部と、フーチング部上に連設した立ち上がり部によって布基礎が構成されると共に、布基礎のフーチング部内に水平鉄筋枠で形成したフーチング用鉄筋枠と、垂直鉄筋枠で形成した立ち上がり用鉄筋枠とを一体にした鉄筋ユニットを布基礎用鉄筋４として用いる形態、その他公知の各種形態を採ることが可能である。
【００３０】
下部側構造部３Ａは、図２で示すように基礎地盤中に埋設したウォールアンカー１１を、取付け孔１０ａを挿通させて取付けナット１２で固着することによって、基礎地盤上に支圧板１０を装着すると共に、支圧板１０上にはベース部材１３を介して支柱部材６が取り付けられており、ベース部材１３はＸ軸方向に沿った第１片１３ａとＹ軸方向に沿った第２片１３ｂとでＬ字状に形成され、支柱部材６はＸ軸方向に沿った第１片６ａとＹ軸方向に沿った第２片６ｂとでＬ字状に形成されている。
【００３１】
ベース部材１３は、第１片１３ａの底面側が溶接その他の固着手段１４によって支圧板１０に固着される連結部にすると共に、第１片１３ａの面板には遊動孔１５を穿設し、第２片６ｂの底面側には切欠部１６を設けて支圧板１０との間に空隙を形成すると共に、第２片６ｂの先端側にはＸ軸の一方向Ｘ１に対する水平調整用ナット部材１７を、溶接その他の固着手段によって一体に連結し、水平調整用ナット部材１７には水平調整用ボルト１８が螺合されている。
【００３２】
支柱部材６は、第１片６ａの下端側にＸ軸の他方向Ｘ２に対する水平調整用ナット部材１９を、溶接その他の固着手段によって一体に連結し、水平調整用ナット部材１９には水平調整用ボルト２０が螺合されていると共に、第２片６ｂの面板には貫通孔（図示を省略）が穿設されており、下端を支圧板１０から浮かせた状態でベース部材１３の第１片１３ａに宛って、貫通孔に遊動孔１５を整合させた状態で連結ボルト２１を挿入し、連結ナット２２を螺合してベース部材１３に連結される。
【００３３】
下部側構造部３Ａによると、水平調整用ボルト１８の上端側にレンチなどのねじ締め工具を嵌合させ、水平調整用ナット部材１７に締め付けて水平調整用ボルト１８の下端側を支圧板１０上に圧接させると、第２片１３ｂを押し上げて第１片１３ａがＸ軸の一方向Ｘ１へ傾斜状に撓み変形されると共に、第１片１３ａに連結されている支柱部材６が傾斜状態となり、これによって支柱部材６の上端側に連結されているアンカーボルト２を、Ｘ軸の一方向Ｘ１に水平位置を調整することができる。
【００３４】
また、同様に水平調整用ナット部材１９に対して水平調整用ボルト２０を締め付けて下端側を支圧板１０上に圧接させると、支柱部材６の第１片６ａを押し上げて第２片６ｂがベース部材１３の第１片１３ａをＸ軸の他方向Ｘ２へ傾斜状に撓み変形させながら、支柱部材６は傾斜状態になるので、支柱部材６の上端側に連結されているアンカーボルト２を、Ｘ軸の他方向Ｘ２に水平位置を調整することができる。
【００３５】
更に、連結ナット２２に対して連結ボルト２１の螺合を緩めた状態にし、支柱部材６を把持してＹ軸の一方向Ｙ１又は他方向Ｙ２に押圧すると、ルーズホールによる遊動孔１５の遊び寸法の範囲内で支柱部材６を傾斜状態にすることができるので、所望の傾斜位置に設定した後に連結ナット２２に対して連結ボルト２１を締め付け、支柱部材６の上端側に連結されているアンカーボルト２を、Ｙ軸の一方向Ｙ１又は他方向Ｙ２に水平位置を調整することができる。
【００３６】
なお、図２の実施形態では安価でコンクリートの付着性が良いＬ字状のアングル材を支柱部材６に使用したが、コ字状の溝形材の使用も可能であること、水平調整用ボルト１８，２０に六角穴孔付き頭部のものを用いているが、フランジ状に突出する六角頭部のものを用いることも可能であり、また頭部を支圧板１０上に圧接させる態様で六角頭部のボルトを水平調整用ナット部材１７，１９に螺合し、六角レンチなどのねじ締め工具を用いて螺合を緩めた際に支圧板１０上に圧接する形態を採るなど、同様に機能する各種の形態を採ることができる。
【００３７】
この下部側構造部３Ａによると、上端に連結金物を装着した支柱部材６を介して、基礎地盤上にアンカーボルト２を支持する構造であるから、特許文献１〜３や先願発明２の場合とは異なって布基礎用の鉄筋類と全く関わりなく位置決め調整をより正確且つ容易に行うことができると共に、アンカーボルト２の長さを長くして、アンカーボルト２に対するコンクリートの付着強度をより強固にすることが可能である。
【００３８】
また、水平調整を行った際に支圧板１０を固定するウォールアンカー１１に引き抜き力が作用し難いので、捨てコンクリートが未硬化の場合でも支圧板１０やウォールアンカーが１１浮き上がったり又は引き抜かれたりする恐れがなく、一本の支柱部材６に対して上部側構造部３Ｂを介して複数本のアンカーボルト２を連結支持する場合には、二本を同時に水平調整を行って個別に水平調整を行う手間を軽減できると共に、支柱部材６の本数が少なくなることによって、鉄筋類の配置が制限を受けにくくなる。
【００３９】
上部側構造部３Ｂは、図３で示すように上側の第１係止片２３ａと下側の第２係止片２３ｂを連結片２３ｃで連結してコ字状に形成した連結金物２３が使用され、連結金物２３は支柱部材６の第１片６ａ上端側に、溶接その他の固着手段によって固着されており、第１係止片２３ａと第２係止片２３ｂには、アンカーボルト２，２が挿通する係止孔２４（２４Ａ，２４Ｂ），２５（２５，Ａ，２５Ｂ）が、上下に連通する状態で並設されると共に、連結片２３ｃにはねじ孔２７，２７を穿設して連結ボルト２６，２６を螺合させている。
【００４０】
係止孔２４，２５は、略五角形状の側面に切欠部分を設けると共に、係止孔にはアンカーボルト２の圧接面にＶ溝状の係止部を設けており、側面の切欠部分から係止孔２４，２５にアンカーボルト２を装着し、Ｚ軸の一方向Ｚ１又は他方向Ｚ２に垂直位置の調整を行った後に、図４で示すように連結ボルト２６を締め付けてＶ溝状の係止部側へアンカーボルト２を押圧すると、連結ボルト２６の先端とＶ溝状の係止部によって三点支持状態で圧接狭持されて固着することができる。
【００４１】
この上部側構造部３Ｂによると、側面の切欠部分から係止孔２４，２５内へアンカーボルト２を容易に装着でき、連結ボルト２６の締め付けによってアンカーボルト２は上下２個所がそれぞれ三点支持状態で強固に連結され、支柱部材６の上端側に対して打設したコンクリートを充填する空隙を十分に確保できるので、コンクリートの付着強度をより高めて、アンカーボルト２に対する支持力を増強することが可能である。
【００４２】
なお、コ字状に形成した連結金物２３の先端側を閉塞して方形筒状にする形態や、係止孔２４，２５を略五角形状以外で多点支持が可能な菱形その他の多角形状にする形態を採ることもできると共に、係止孔２４，２５の側面に設けた切欠部分をなくし、アンカーボルト２を上方から挿通して装着するようにした形態など、各種の形態による変形を採ることもできる。
【００４３】
次に、図５は別の実施形態による下部側構造部３０Ａを示すが、この下部側構造部３０Ａの場合には、図２の実施形態による下部側構造部３Ａでルーズホールの遊動孔１５を用いて行っていたＸ軸方向の水平位置調整を、Ｙ軸方向の水平位置調整と同様に水平調整用ナット部材３１，３３と水平調整用ボルト３２，３４で行うようにすると共に、ルーズホールの遊動孔１５に代えて通常の貫通孔を設けたものであり、その他の構造は下部側構造部３Ａと同様である。
【００４４】
下部側構造部３０Ａは、支柱部材６の第２片６ｂの先端側にＹ軸の他方向Ｙ２に対する水平調整用ナット部材３１を、溶接その他の固着手段によって一体に連結し、水平調整用ナット部材３１には水平調整用ボルト３２が螺合されていると共に、支柱部材６の第１片６ａの基端側にＹ軸の一方向Ｙ１に対する水平調整用ナット部材３３を、溶接その他の固着手段によって一体に連結し、水平調整用ナット部材３３には水平調整用ボルト３４が螺合されている。
【００４５】
このＹ軸方向に対する水平調整部は、連結ナット２２に対して連結ボルト２１の螺合を緩めた状態にし、水平調整用ボルト３２を水平調整用ナット部材３１に締め付けて下端側を支圧板１０上に圧接させると、第２片６ａの先端側が押し上げられた支柱部材６は連結ボルト２１を中心に、Ｙ軸の他方向Ｙ２に傾斜する態様で回転されるので、これによって支柱部材６の上端側に連結されているアンカーボルト２を、Ｙ軸の他方向Ｙ２に水平位置を調整することができる。
【００４６】
また、同様に水平調整用ボルト３４を水平調整用ナット部材３２に締め付けて下端側を支圧板１０上に圧接させると、第１片６ａの基部側が押し上げられた支柱部材６は連結ボルト２１を中心に、Ｙ軸の一方向Ｙ１に傾斜する態様で回転されるので、これによって支柱部材６の上端側に連結されているアンカーボルト２を、Ｙ軸の一方向Ｙ１に水平位置を調整することができるが、この実施形態では図２の実施形態の場合に比べて、正確な位置調整を行うことができる。
【００４７】
次に、図６は別の実施形態による上部側構造部３０Ｂを示すが、図３の実施形態による上部側構造部３Ｂとは支柱部材６に対する連結金物の連結状態が相違し、上部側構造部３Ｂの場合には連結金物２３の連結部２３ｃ側を支柱部材６に連結しているが、上部側構造部３０Ｂの場合は連結金物２３の上側の第１係止片３５ａと下側の第２係止片３５ｂの先端側を支柱部材６に連結しており、その他の構造は全く同じなので同一符号を付して、詳細な説明は省略する。
【００４８】
上部側構造部３０Ｂには、切欠部分がある側面側から連結金物２３の係止孔２４，２５内にアンカーボルト２を装着すると共に、各アンカーボルト２，２を所望の垂直位置にＺ軸方向の位置決め調整を行った後に、連結ボルト２６の締め付けによって、各アンカーボルト２，２は上下２個所でそれぞれ三点支持状態に連結されるので、上部側構造部３Ｂの場合と同様に強固な連結保持が行われ、その他の作用効果も同様である。
【００４９】
但し、支柱部材６に対する連結金物の連結状態の相違によって、第１及び第２係止片３５ａ，３５ｂの先端側を連結する上部側構造部３Ｂの場合には、開口端部側を閉塞することによって連結金物２３の剛性を高めることができ、連結部２３ｃ側を連結する上部側構造部３０Ｂの場合には、打設したコンクリートが開口端部側から連結金物２３に充填されるので、コンクリートの付着性能を向上することができる。
【００５０】
なお、支柱部材６の上端外面側に連結金物２３を連結した図示の実施形態に比べ、コンクリートの付着性能の点では劣るが、支柱部材６の上端内面側すなわちＶ溝側に対して連結金物２３を連結した形態を採ることも可能であり、また１本の支柱部材６に対して３本以上例えば２組の連結金物２３を連結して、４本のアンカーボルトを連結支持する形態を採ることも可能である。
【００５１】
このように、複数本のアンカーボルト２を連結支持する形態を採ると、支柱部材６の本数及びベース部材を削減して部品コストの低減が可能であると共に、下部側構造部３Ａ，３０Ａで各アンカーボルト２を水平位置を同時に位置決め調整できので、設置作業の労力を軽減することが可能であり、連結金物２３は天プレートの機能を兼用し、並設された複数本の各アンカーボルト２の相対位置関係を一定に保持できるので、アンカーボルト２の上端側に天プレートを設けて相対位置関係を一定に保持する必要がなくなる。
【００５２】
次に、図７は同形の上部側構造部３Ｂを２組用いた実施形態による上部側構造部４０Ｂであって、支柱部材６の他方片６ｂの上端側にはＬ字状をした補助連結部材４１の一片側を溶接などの固着手段で連結すると共に、補助連結部材４１の他方片には連結金物２３及び連結ボルト２６による同形の上部側構造部３Ｂを取付け、この追加した上部側構造部３Ｂが支柱部材６の一方片６ａ側に連結した上部側構造部３Ｂと対象に配置される。
【００５３】
この上部側構造部４０Ｂでは、２組の上部側構造部３Ｂ，３Ｂの係止孔２４に挿通させた４本の各アンカーボルト２に（２Ａ，２Ｂ，２Ｃ，２Ｄ）対して、個別にＺ軸方向の垂直位置調整を行った後に各連結ボルト２６で固着すると、１本の支柱部材６上に４本の各アンカーボルト２を連結支持することができると共に、下部側構造部３，３０Ａによって支柱部材６の水平位置調整を行うと、各アンカーボルト２を同時に位置決めすることが可能である。
【００５４】
従って、上部側構造部４０Ｂと上部側構造部３Ｂ，３Ｂを組み合わせたアンカーボルトの支持装置は、大きな耐力を必要とする大口径の柱を支持する場合に好適であって、特に支柱部材６の本数を削減してコストの低減を図り、１本の支柱部材６を介して水平位置調整を容易にすることができると共に、鉄筋類を配置する際の自由度を高め且つ、天プレートを省略することが可能であるなどの効果を奏し、布基礎だけではなく露出型柱脚構造にも利用することができる。
【００５５】
次に、図８は４組の前記支持装置３を用いて、ベースパック柱脚工法などに代表される露出型柱脚構造３７に適用する実施形態であって、図２及び図３で示す支持装置３と同様の構成による４組の支持装置３９（３９Ａ，３９Ｂ，３９Ｃ，３９Ｄ）を、支圧板３８上に対向状態で配置し、各支持装置３９のベース部には支柱部材の上端側に設けた連結金物２３を介して、各２本づつのアンカーボルト２がＸ軸方向及びＹ軸方向に対して水平位置調整可能に連結されると共に、Ｚ軸方向に対して垂直位置調整可能に連結されている。
【００５６】
この露出型柱脚構造３７では、１本の支柱部材６に２本づつのアンカーボルト２が連結金物２３を介して多点支持状態で強固に連結され、二本を同時に水平調整を行って個別に水平調整を行う手間を軽減できると共に、支柱部材６の本数を少なくできること、この種のアンカーボルト２の上端部を所定間隔に拘束するために設ける天プレートを省略できることによってコストを低減することができる。
【図面の簡単な説明】
【００５７】
【図１】本発明を布基礎に適用した施工状態における要部斜視図を示す。
【図２】本発明を適用した実施形態による下部側構造部を斜視図で示す。
【図３】本発明を適用した実施形態による上部側構造部を斜視図で示す。
【図４】本発明を適用した実施形態による上部側構造部を平面図で示す。
【図５】本発明を適用した他の実施形態による下部側構造部を斜視図で示す。
【図６】本発明を適用した他の実施形態による上部側構造部を斜視図で示す。
【図７】本発明を適用した更に他の実施形態による上部側構造部であって、（ａ）は全体を平面図で示し、（ｂ）は支柱部材に対する補助連結部材の連結を側面図で示す。
【図８】本発明を露出型柱脚構造に適用した実施形態を平面図で示す。
【符号の説明】
【００５８】
１  布基礎
２  アンカーボルト
３，３９  支持装置
３Ａ，３０Ａ  下部側構造部
３Ｂ，３０Ｂ  上部側構造部
４  布基礎用鉄筋
５  基礎コンクリート
６  支柱部材
７，８  横鉄筋
９  縦鉄筋
１０，３８  支圧板
１１  ウォールアンカー
１２  取付けナット
１３  ベース部材
１４  固着手段
１５  遊動孔
１６  切欠部
１７，１９，３１，３３  水平調整用ナット部材
１８，２０，３２，３４  水平調整用ボルト
２１，２６  連結ボルト
２２  連結ナット
２３  連結金物
２４，２５  係止孔
２７  ねじ孔
３７  露出型柱脚構造
【図１】
2005133412.tif 000003
【図２】
2005133412.tif 000004
【図３】
2005133412.tif 000005
【図４】
2005133412.tif 000006
【図５】
2005133412.tif 000007
【図６】
2005133412.tif 000008
【図７】
2005133412.tif 000009
【図８】
2005133412.tif 000010